(57)【特許請求の範囲】
【請求項１】
表示部と、
連絡先相手の氏名と、電話番号と、を対応付けて登録している電話帳データベースと、
上記電話帳データベースに登録されている情報を取得するための電話帳アプリケーションと、
通話の発信をするための、上記電話帳アプリケーションとは異なる電話アプリケーションと、
上記電話帳アプリケーション及び上記電話アプリケーションを記憶している記憶部と、
上記電話帳アプリケーションを実行し、上記電話帳データベースに登録されている連絡先相手の氏名及び当該氏名と対応付けて上記電話帳データベースに登録されている電話番号を表示するための連絡先相手の詳細画面を上記表示部に表示させる電話帳制御部と、
上記連絡先相手の詳細画面が上記表示部に表示されている場合であって当該連絡先相手への通話が指示されると、上記電話アプリケーションを実行することで、当該連絡先相手の詳細画面に含まれる連絡先相手の氏名と対応付けて上記電話帳データベースに登録されている電話番号へ発信処理を行うと共に、上記表示部に発信中画面を表示させる通話制御部と、
上記通話制御部が上記発信処理をした際、通話が成立したか否かを判定する通話成立判定部とを備え、
上記通話成立判定部が通話が成立したと判定すると、上記電話帳制御部は、上記電話帳アプリケーションの実行を終了し、
上記通話成立判定部が通話が成立しないと判定すると、上記電話帳制御部は、上記通話制御部が上記発信中画面の表示を終了させた後、再び、上記連絡先相手の詳細画面を上記表示部に表示させることを特徴とする電話機能付き携帯端末。
【請求項２】
上記電話帳データベースには、上記連絡先相手の氏名と対応付けて、上記電話番号とは異なる連絡先情報が登録されており、
上記記憶部には、上記連絡先情報へ連絡するための連絡先情報用アプリケーションが記憶されており、
上記連絡先相手の詳細画面には、当該連絡先相手の詳細画面に含まれている連絡先相手の氏名と対応付けて上記電話帳データベースに登録されている上記連絡先情報へ連絡するための連絡先情報用アプリケーションを実行するための連絡先情報用アイコンが配されていることを特徴とする請求項１に記載の電話機能付き携帯端末。
【請求項３】
上記連絡先情報は、メールアドレスであることを特徴とする請求項２に記載の電話機能付き携帯端末。
【請求項４】
上記記憶部には、上記連絡先情報用アイコンが配されているアイコン用画面を上記表示部に表示するためのアイコン用画面表示プログラムが記憶されており、
上記アイコン用画面表示プログラムを実行するためのアイコン用画面制御部を備えていることを特徴とする請求項２又は３に記載の電話機能付き携帯端末。
【請求項５】
上記通話成立判定部が通話が成立したと判定すると、上記アイコン用画面制御部は、上記アイコン用画面表示プログラムを実行し、上記表示部は、上記アイコン用画面を表示することを特徴とする請求項４に記載の電話機能付き携帯端末。
【請求項６】
上記アイコン用画面には、上記電話帳アプリケーションを実行するための電話帳用アイコンと、上記電話アプリケーションを実行するための通話用アイコンとが配されており、
上記電話帳制御部は、上記電話帳用アイコンが選択されることで上記電話帳アプリケーションを実行し、
上記通話制御部は、上記通話用アイコンが選択されることで上記電話アプリケーションを実行することを特徴とする請求項４又は５に記載の電話機能付き携帯端末。
【請求項７】
上記通話制御部は、上記電話アプリケーションを実行することで、過去に発信処理を行った電話番号を時系列で表示する発信履歴画面、又は過去に着信した電話番号を時系列で表示する着信履歴画面を、上記表示部に表示させ、
上記通話制御部は、上記発信履歴画面又は上記着信履歴画面に表示されている複数の電話番号のうち、選択された電話番号へ発信処理を行うと共に、上記表示部に発信中画面を表示させ、
上記通話制御部が上記発信処理をした際、上記通話成立判定部は、通話が成立したか否かを判定し、
上記通話成立判定部が通話が成立しないと判定すると、上記通話制御部は、上記発信中画面を終了し、再び、上記発信履歴画面又は上記着信履歴画面を上記表示部に表示させ、
上記通話成立判定部が通話が成立したと判定すると、上記発信中画面の表示後、上記アイコン用画面制御部は、上記アイコン用画面を上記表示部に表示させることを特徴とする請求項５又は６に記載の電話機能付き携帯端末。
【請求項８】
表示部と、
連絡先相手の氏名と、電話番号と、を対応付けて登録している電話帳データベースと、
上記電話帳データベースに登録されている情報を取得するための電話帳アプリケーションと、
通話の発信をするための、上記電話帳アプリケーションとは異なる電話アプリケーションと、
上記電話帳アプリケーション及び上記電話アプリケーションを記憶している記憶部と備えている電話機能付き携帯端末の制御方法であって、
上記電話帳アプリケーションを実行し、上記電話帳データベースに登録されている連絡先相手の氏名及び当該氏名と対応付けて上記電話帳データベースに登録されている電話番号を表示するための連絡先相手の詳細画面を上記表示部に表示させるステップと、
上記連絡先相手の詳細画面が上記表示部に表示されている場合であって当該連絡先相手への通話が指示されると、上記電話アプリケーションを実行することで、当該連絡先相手の詳細画面に含まれる連絡先相手の氏名と対応付けて上記電話帳データベースに登録されている電話番号へ発信処理を行うと共に、上記表示部に発信中画面を表示させるステップと、
上記発信処理をした際、通話が成立したか否かを判定するステップとを有し、
上記通話が成立したと判定すると、上記電話帳アプリケーションの実行を終了し、
上記通話が成立しないと判定すると、上記発信中画面が終了した後、再び、上記表示部に上記連絡先相手の詳細画面を表示するステップとを有することを特徴とする電話機能付き携帯端末の制御方法。
【請求項９】
コンピュータに、請求項８に記載の各ステップを実行させる電話機能付き携帯端末の制御プログラム。
【請求項１０】
請求項９に記載の制御プログラムを記録したコンピュータ読み取り可能な記録媒体。
【発明の詳細な説明】
【技術分野】
【０００１】
本発明は電話機機能付き携帯端末、電話機能付き携帯端末の制御方法、電話機能付き携帯端末の制御プログラム、及びコンピュータ読み取り可能な記録媒体に関する。
【背景技術】
【０００２】
近年、ユーザーが電話する際の操作の手間を省き、利便性を向上させる機能が開発されている。
【０００３】
このような機能としては、例えば、予め連絡先の氏名と、電話番号とを対応付けて登録したり、当該登録されている連絡先の氏名や電話番号等を画面に表示するための電話帳機能や、過去に発信した連絡先の氏名を時系列に表示する通話履歴画面から発信可能とする通話機能とがある。
【０００４】
また、特許文献１には、予め電話帳データベースに、連絡先の相手と、当該相手が通話可能な時間帯とを対応付けて登録しておく通信端末が開示されている。
【０００５】
そして、上記通信端末は、ユーザーが、これから通話しようとする相手の通話可能時間外に当該相手に発信しようとすると、ユーザーに対して、当該相手に通話ではなくメールを送信させるか、もしくは、当該相手の関係者であり、かつ、通話可能時間内である別の相手に発信させる。
【０００６】
このように、特許文献１の通信端末は、電話帳機能を使用し、連絡先相手との通話成立の有無により異なる操作を実行することが可能であるため、連絡事項等の情報のやり取りを円滑に行うことができる。
【０００７】
また、特許文献２には、「リダイヤル」ボタンの押下毎に、ダイヤル発信先履歴メモリに記憶されている、過去に発信した発信先ダイヤル番号を順次表示し、ダイヤル発信先履歴メモリに記憶されている発信先ダイヤル番号の表示が終了すると、次に、予め電話帳登録内容メモリに登録されている登録先ダイヤル番号を順次表示する電話機が開示されている。
【０００８】
上記電話機によると、通話機能を使用し、「リダイヤル」ボタンを押下するという同一の操作で、過去に発信した相手先ダイヤル番号、及び予め登録されている相手先ダイヤル番号を読み出すことができる。この結果、ダイヤル発信の容易化、及びボタン数の削減による装置の小型化を行うことができる。
【先行技術文献】
【特許文献】
【０００９】
【特許文献１】特開２００３‐１８８９７８号公報（２００３年７月４日公開）
【特許文献２】特開平１０‐２００６２１号公報（１９９８年７月３１日公開）
【発明の概要】
【発明が解決しようとする課題】
【００１０】
特許文献１の携帯端末によると、電話帳機能を使用し、連絡先の相手との通話が成立しない場合、異なる連絡手段であるメールにより連絡することができる。しかし、予め連絡先相手の通話可能な時間帯を調べて、電話帳データベースに登録しておく必要がある。このため、電話帳データベースに、連絡先を登録する際に手間がかかり、利便性が悪い。
【００１１】
また、特許文献１には、通話が成立した場合、その後に表示する画面については考慮されていない。電話帳機能を実行するための表示画面は個人情報が多く含まれるため、通話が成立したにも関わらず、再び、電話帳機能を実行するための表示画面が表示された場合、安全性を確保するため、ユーザーは、その電話帳機能を実行するための表示画面を閉じる操作を行う必要があり、利便性が悪い。
【００１２】
特許文献２に記載の電話機は、電話帳機能を実行するための表示画面から発信を行った際、通話成立の有無により、その後の表示画面を異ならせることについて記載されておらず、個人情報が表示され続けることを防止し、かつ、ユーザーの操作の利便性の低下を防止することができない。
【００１３】
本発明は、上記の問題点を解決するためになされたもので、その目的は、電話帳アプリケーションの画面から通話の発信処理を行った場合でも、電話帳データベースに登録されている個人情報が表示され続けることを防止し、かつ、ユーザーの利便性の低下を防止することである。
【課題を解決するための手段】
【００１４】
上記の課題を解決するために、本発明の電話機能付き携帯端末は、表示部と、連絡先相手の氏名と、電話番号と、を対応付けて登録している電話帳データベースと、上記電話帳データベースに登録されている情報を取得するための電話帳アプリケーションと、通話の発信をするための、上記電話帳アプリケーションとは異なる電話アプリケーションと、上記電話帳アプリケーション及び上記電話アプリケーションを記憶している記憶部と、上記電話帳アプリケーションを実行し、上記電話帳データベースに登録されている連絡先相手の氏名及び当該氏名と対応付けて上記電話帳データベースに登録されている電話番号を表示するための連絡先相手の詳細画面を上記表示部に表示させる電話帳制御部と、上記連絡先相手の詳細画面に含まれる連絡先相手の氏名と対応付けて上記電話帳データベースに登録されている電話番号へ発信処理を行うと共に、上記表示部に発信中画面を表示させる通話制御部と、上記通話制御部が上記発信処理をした際、通話が成立したか否かを判定する通話成立判定部とを備え、上記通話成立判定部が通話が成立したと判定すると、上記電話帳制御部は、上記電話帳アプリケーションの実行を終了し、上記通話成立判定部が通話が成立しないと判定すると、上記電話帳制御部は、上記通話制御部が上記発信中画面の表示を終了させた後、再び、上記連絡先相手の詳細画面を上記表示部に表示させることを特徴としている。
【００１５】
上記の課題を解決するために、本発明の電話機能付き携帯端末の制御方法は、表示部と、連絡先相手の氏名と、電話番号と、を対応付けて登録している電話帳データベースと、上記電話帳データベースに登録されている情報を取得するための電話帳アプリケーションと、通話の発信をするための、上記電話帳アプリケーションとは異なる電話アプリケーションと、上記電話帳アプリケーション及び上記電話アプリケーションを記憶している記憶部と備えている電話機能付き携帯端末の制御方法であって、上記電話帳アプリケーションを実行し、上記電話帳データベースに登録されている連絡先相手の氏名及び当該氏名と対応付けて上記電話帳データベースに登録されている電話番号を表示するための連絡先相手の詳細画面を上記表示部に表示させるステップと、上記連絡先相手の詳細画面に含まれる連絡先相手の氏名と対応付けて上記電話帳データベースに登録されている電話番号へ発信処理を行うと共に、上記表示部に発信中画面を表示させるステップと、上記発信処理をした際、通話が成立したか否かを判定するステップとを有し、上記通話が成立したと判定すると、上記電話帳アプリケーションの実行を終了し、上記通話が成立しないと判定すると、上記発信中画面が終了した後、再び、上記表示部に上記連絡先相手の詳細画面を表示するステップとを有することを特徴としている。
【００１６】
上記構成によると、上記通話制御部が上記発信処理をした際、上記通話成立判定部が通話が成立したか否かを判定するため、予め、連絡先相手の通話可能な時間を電話帳データベースに登録しておく必要が無く、連絡先相手の情報を電話帳データベースに登録する際のユーザーの負担増加を抑制することができる。このため、利便性の低下を抑制することができる。
【００１７】
さらに、上記構成によると、上記電話帳アプリケーションを実行することで上記表示部に表示される上記連絡先相手の詳細画面から、当該連絡先相手の詳細画面に表示されている連絡先相手の電話番号へ上記通話制御部が発信処理を行った際、上記通話成立判定部が通話が成立したと判定すると、上記電話帳制御部は、上記電話帳アプリケーションの実行を終了する。
【００１８】
このように、通話の成立により、上記表示部に表示された目的が達成された上記連絡先相手の詳細画面を表示していた上記電話帳アプリケーションの実行は上記電話帳制御部により終了されるので、個人情報が多く含まれる上記連絡先相手の詳細画面が、ユーザーの操作無しに再び表示されることは無い。
【００１９】
このため、上記連絡先相手の詳細画面を閉じるために、ユーザーが何らかの操作をする必要が無い。この結果、表示部に連絡先相手の詳細画面を表示した目的が達成されたにも関わらず、連絡先相手の詳細画面が表示され続ける場合と比べて、ユーザーの利便性を向上させて、電話帳データベースに登録されている個人情報が表示され続けることを防止することができる。
【００２０】
さらに、上記構成によると、上記電話帳アプリケーションを実行することで上記表示部に表示される上記連絡先相手の詳細画面から、当該連絡先相手の詳細画面に含まれる連絡先相手の電話番号へ上記通話制御部が発信処理を行った際、上記通話成立判定部が通話が成立しなかったと判定すると、上記通話制御部が上記発信中画面の表示を終了させた後、上記電話帳制御部は、再び、上記連絡先相手の詳細画面を上記表示部に表示させる。
【００２１】
これにより、再び表示された上記連絡先相手の詳細画面から、通話が成立しなかった連絡先相手の電話番号に再度リダイヤルしたり、他の連絡手段を用いて連絡先相手へ連絡をしたりすることが可能である。このため、表示部に連絡先相手の詳細画面を表示した目的が達成されていないにも関わらず、連絡先相手の詳細画面が閉じられる場合と比べて、ユーザーの利便性を向上させることができる。
【００２２】
このように、上記構成によると、上記電話帳アプリケーションを実行することで表示される画面から通話の発信処理を行った場合でも、電話帳データベースに登録されている個人情報が表示され続けることを防止し、かつ、ユーザーの利便性の低下を防止することができる。
【００２３】
また、上記電話帳データベースには、上記連絡先相手の氏名と対応付けて、上記電話番号とは異なる連絡先情報が登録されており、上記記憶部には、上記連絡先情報へ連絡するための連絡先情報用アプリケーションが記憶されており、上記連絡先相手の詳細画面には、当該連絡先相手の詳細画面に含まれている連絡先相手の氏名と対応付けて上記電話帳データベースに登録されている上記連絡先情報へ連絡するための連絡先情報用アプリケーションを実行するための連絡先情報用アイコンが配されていることが好ましい。
【００２４】
上記構成によると、上記通話成立判定部が通話が成立しないと判定すると、上記電話帳制御部は、上記通話制御部が上記発信中画面の表示を終了させた後、再び、上記連絡先相手の詳細画面を上記表示部に表示させるため、ユーザーは、再び表示された連絡先相手の詳細画面から、連絡先情報用アイコンを選択することで、同じ連絡先相手に、電話とは異なる連絡先情報へ連絡することができる。
【００２５】
このため、効率よく、ユーザーに情報のやり取りをさせることができる。
【００２６】
また、上記連絡先情報は、メールアドレスであることが好ましい。これにより、通話が成立しなかった場合、ユーザーは、同じ連絡先相手にメールを送信することができるため、ユーザーに効率よく情報のやり取りをさせることができる。
【００２７】
また、上記記憶部には、上記連絡先情報用アイコンが配されているアイコン用画面を上記表示部に表示するためのアイコン用画面表示プログラムが記憶されており、
上記アイコン用画面表示プログラムを実行するためのアイコン用画面制御部を備えていることが好ましい。
【００２８】
上記構成によると、上記アイコン用画面から、上記連絡先情報用アプリケーションをユーザーに実行させることができる。
【００２９】
また、上記通話成立判定部が通話が成立したと判定すると、
上記アイコン用画面制御部は、上記アイコン用画面表示プログラムを実行し、上記表示部は、上記アイコン用画面を表示することが好ましい。
【００３０】
上記構成によると、上記通話成立判定部が通話が成立したと判定した場合、上記表示部は、上記アイコン用画面を表示するため、ユーザーは、当該アイコン用画面から、上記連絡先情報用アプリケーションを実行させることができる。これにより、ユーザーの利便性を向上させることができる。
【００３１】
また、上記アイコン用画面には、上記電話帳アプリケーションを実行するための電話帳用アイコンと、上記電話アプリケーションを実行するための通話用アイコンとが配されており、
上記電話帳制御部は、上記電話帳用アイコンが選択されることで上記電話帳アプリケーションを実行し、上記通話制御部は、上記通話用アイコンが選択されることで上記電話アプリケーションを実行することが好ましい。
【００３２】
上記構成により、上記構成によると、上記通話成立判定部が通話が成立したと判定した場合、上記表示部は、上記アイコン用画面を表示するため、ユーザーは、上記アイコン用画面から、上記電話帳アプリケーションを実行したり、上記電話アプリケーションを実行したりすることができる。このため、上記電話帳アプリケーションを実行したり、上記電話アプリケーションを実行したりするためのユーザーの操作回数が少なくて済み、利便性を向上させることができる。
【００３３】
また、上記通話制御部は、上記電話アプリケーションを実行することで、過去に発信処理を行った電話番号を時系列で表示する発信履歴画面、又は過去に着信した電話番号を時系列で表示する着信履歴画面を、上記表示部に表示させ、上記通話制御部は、上記発信履歴画面又は上記着信履歴画面に表示されている複数の電話番号のうち、選択された電話番号へ発信処理を行うと共に、上記表示部に発信中画面を表示させ、上記通話制御部が上記発信処理をした際、上記通話成立判定部は、通話が成立したか否かを判定し、上記通話成立判定部が通話が成立しないと判定すると、上記通話制御部は、上記発信中画面を終了し、再び、上記発信履歴画面又は上記着信履歴画面を上記表示部に表示させ、上記通話成立判定部が通話が成立したと判定すると、上記発信中画面の表示後、上記アイコン用画面制御部は、上記アイコン用画面を上記表示部に表示させることが好ましい。
【００３４】
上記構成により、上記発信履歴画面又は着信履歴画面から上記通話制御部が発信処理をした場合であり、上記通話成立判定部が通話が成立しないと判定すると、上記通話制御部は、上記発信中画面を終了し、再び、上記発信履歴画面又は着信履歴画面を上記表示部に表示させる。このため、ユーザーは、再び表示された上記発信履歴画面又は着信履歴画面から、リダイヤル操作を行うことができ、利便性が高い。
【００３５】
また、上記発信履歴画面又は着信履歴画面から上記通話制御部が発信処理をした場合であり、上記通話成立判定部が通話が成立したと判定すると、上記発信中画面の表示後、上記アイコン用画面制御部は、上記アイコン用画面を上記表示部に表示させる。このため、ユーザーは、上記アイコン用画面から、別の操作を行うことができるため、利便性が高い。
【発明の効果】
【００３６】
本発明の電話機能付き携帯端末は、表示部と、連絡先相手の氏名と、電話番号と、を対応付けて登録している電話帳データベースと、上記電話帳データベースに登録されている情報を取得するための電話帳アプリケーションと、通話の発信をするための、上記電話帳アプリケーションとは異なる電話アプリケーションと、上記電話帳アプリケーション及び上記電話アプリケーションを記憶している記憶部と、上記電話帳アプリケーションを実行し、上記電話帳データベースに登録されている連絡先相手の氏名及び当該氏名と対応付けて上記電話帳データベースに登録されている電話番号を表示するための連絡先相手の詳細画面を上記表示部に表示させる電話帳制御部と、上記連絡先相手の詳細画面に含まれる連絡先相手の氏名と対応付けて上記電話帳データベースに登録されている電話番号へ発信処理を行うと共に、上記表示部に発信中画面を表示させる通話制御部と、上記通話制御部が上記発信処理をした際、通話が成立したか否かを判定する通話成立判定部とを備え、上記通話成立判定部が通話が成立したと判定すると、上記電話帳制御部は、上記電話帳アプリケーションの実行を終了し、上記通話成立判定部が通話が成立しないと判定すると、上記電話帳制御部は、上記通話制御部が上記発信中画面の表示を終了させた後、再び、上記連絡先相手の詳細画面を上記表示部に表示させる。
【００３７】
本発明の電話機能付き携帯端末の制御方法は、表示部と、連絡先相手の氏名と、電話番号と、を対応付けて登録している電話帳データベースと、上記電話帳データベースに登録されている情報を取得するための電話帳アプリケーションと、通話の発信をするための、上記電話帳アプリケーションとは異なる電話アプリケーションと、上記電話帳アプリケーション及び上記電話アプリケーションを記憶している記憶部と備えている電話機能付き携帯端末の制御方法であって、上記電話帳アプリケーションを実行し、上記電話帳データベースに登録されている連絡先相手の氏名及び当該氏名と対応付けて上記電話帳データベースに登録されている電話番号を表示するための連絡先相手の詳細画面を上記表示部に表示させるステップと、上記連絡先相手の詳細画面に含まれる連絡先相手の氏名と対応付けて上記電話帳データベースに登録されている電話番号へ発信処理を行うと共に、上記表示部に発信中画面を表示させるステップと、上記発信処理をした際、通話が成立したか否かを判定するステップとを有し、上記通話が成立したと判定すると、上記電話帳アプリケーションの実行を終了し、上記通話が成立しないと判定すると、上記発信中画面が終了した後、再び、上記表示部に上記連絡先相手の詳細画面を表示するステップとを有する。
【００３８】
これにより、電話帳アプリケーションの画面から通話の発信処理を行った場合でも、電話帳データベースに登録されている個人情報が表示され続けることを防止し、かつ、ユーザーの利便性の低下を防止するという効果を奏する。
【図面の簡単な説明】
【００３９】
【図１】本発明の携帯端末の構成を表す機能ブロック図である。
【図２】本発明の携帯端末の外観を表す斜視図である。
【図３】本発明の携帯端末の電話帳ＤＢの一例を表す図である。
【図４】比較例１の携帯端末の表示画面の遷移を表す図である。
【図５】比較例１の携帯端末の処理の流れを表すフローチャートである。
【図６】本発明の携帯端末の表示画面及び表示画面の遷移を表す図である。
【図７】本発明の携帯端末の表示画面及び表示画面の遷移を表す図である。
【図８】電話帳アプリケーションの連絡先相手の詳細画面から連絡先の相手に発信する場合の本発明の携帯端末の処理の流れを表すフローチャートである。
【図９】電話アプリケーションの発信履歴表示画面又は着信履歴表示画面から連絡先の相手に発信する場合の本発明の携帯端末の処理の流れを表すフローチャートである。
【発明を実施するための形態】
【００４０】
図１〜図９を用いて、本発明の実施形態について説明する。
【００４１】
（携帯端末１の外観）
まず、図２を用いて、本実施の形態に係る携帯端末１の外観の構成について説明する。
【００４２】
図２は、本実施の形態に係る携帯端末１の外観を表す斜視図である。
【００４３】
図２に示すように、携帯端末１は、通信部１０と、マイク１１と、スピーカ１２と、表示部１３と、操作部１４とを備えている。なお、図１を用いて後述するように、携帯端末１は、これ以外にも、制御部２０と、記憶部３０とを備えている。
【００４４】
携帯端末１は、電話機能付きの多機能の携帯端末である。通信部１０は、携帯端末１の筐体内部に配されており、図示しないアンテナを有している。通信部１０は、基地局等の所定の通信先と、無線信号の送受信を行うものである。携帯端末１は、通信部１０を介して、基地局等の外部と無線信号の送受信を行うことで、通話や着信等の電話機能を実現したり、メールの送受信をしたり、インターネットへ接続したりすることができる。
【００４５】
マイク１１は携帯端末１の内部へ、音声を信号として入力するものである。またスピーカ１２は、音声信号を、携帯端末１の外部へ音声として出力するものである。マイク１１及びスピーカ１２は、公知の構造のものを使用することができる。
【００４６】
表示部１３は、静止画や動画を表示するための表示装置である。一例として、本実施の形態では、表示部１３は液晶表示装置により構成されている。なお、表示部１３は、液晶表示装置に限定されず、例えば、有機ＥＬ表示装置等、静止画や動画を表示可能な表示装置であればよい。
【００４７】
操作部１４は、ユーザからの入力を取得し、当該取得した入力に応じた信号を入力信号として、例えば、携帯端末１内部の制御部２０（後述する）等に出力するものである。操作部１４は、本実施の形態ではタッチパネルであるものとする。操作部１４は、表示部１３の表面であり、全面に配されている。なお、操作部１４は、タッチパネルに限定されず、表示部とは異なる位置に設けられ、テンキー等の複数のボタンから構成されていてもよい。
【００４８】
（携帯端末１の構成）
次に、図１、図３を用いて、携帯端末１の構成について説明する。図１は、本実施の形態に係る携帯端末１の構成を表す機能ブロック図である。
【００４９】
図１に示すように、携帯端末１は、図２で説明した１０、マイク１１、スピーカ１２、表示部１３、及び操作部１４に加え、制御部２０と、記憶部３０とを備えている。また、携帯端末１は、図示しないＲＡＭ等からなるメモリーを備えている。
【００５０】
制御部２０は、待ち受け画面制御部（アイコン用画面制御部）２１と、電話帳制御部２２と、通話制御部２３と、メール送受信制御部２４と、ＳＮＳ送受信制御部２５と、状態管理制御部２６とを備えている。
【００５１】
制御部２０は、携帯端末１の筐体内部に配されており、例えば、ＣＰＵ（Central Processing Unit）からなる。制御部２０は、操作部１４を通じてユーザーから入力された指示である入力信号に基づいて、記憶部３０に記憶されている各種のアプリケーションやプログラムを読み込み、当該読み込んだアプリケーションやプログラム等を実行することで、携帯端末１に、各種機能を発揮させる。制御部２０は、一つのＣＰＵから構成されていてもよいし、複数のＣＰＵから構成されていてもよい。
【００５２】
記憶部３０には、待ち受け画面表示プログラム（アイコン用画面表示プログラム）３１と、電話帳アプリケーション３２と、電話アプリケーション３３と、メールアプリケーション（連絡先情報用アプリケーション）３４と、ＳＮＳ（ソーシャルネットワークサービス）アプリケーション（連絡先情報用アプリケーション）３５と、電話帳ＤＢ（データベース）３７と、状態管理用プログラム３６とが記憶されている。さらに、記憶部３０には、携帯端末１の各種機能を発揮させるための、他のさまざまなプログラムが記憶されている。
【００５３】
記憶部３０は、例えば、携帯端末１の筐体内部に配されたＲＯＭ等であってもよいし、携帯端末１から取り外しが可能な記録メディア等であってもよいし、その両方から構成されていてもよい。
【００５４】
待ち受け画面制御部２１は、記憶部３０から待ち受け画面表示プログラム３１を読み込し、その読み込んだ待ち受け画面表示プログラム３１を実行することで、表示部１３に待ち受け画面を表示させる。
【００５５】
電話帳制御部２２は、携帯端末１に電話帳機能を発揮させるための制御部である。
【００５６】
電話帳制御部２２は、記憶部３０から電話帳アプリケーション３２を読み込み、その読み込んだ電話帳アプリケーション３２を実行すると共に、電話帳ＤＢ３７を参照して、表示部１３に電話帳アプリケーション３２を示す表示画面を表示させる。具体的には、電話帳制御部２２は、後述するように、連絡先一覧画面３２０ａ、連絡先相手の詳細画面３２０ｂ等を表示部１３に表示させる。
【００５７】
通話制御部２３は、携帯端末１に電話機能を発揮させるための制御部である。通話制御部２３は、記憶部３０から電話アプリケーション３３を読み込み、その読み込んだ電話アプリケーション３３を実行すると共に、電話帳ＤＢ３７を参照して、表示部１３に電話アプリケーション３３を示す表示画面を表示させる。具体的には、通話制御部２３は、電話番号等入力画面３３０ａ、発信履歴表示画面３３０ｂ、着信履歴表示画面３３０ｅ、発信中画面３３０ｃ、通話中画面３３０ｄ等を、表示部１３に表示させる。
【００５８】
通話制御部２３は、通話成立判定部２３ａを有している。通話成立判定部２３ａは、通話制御部２３が発信をした際、通話が成立したか否かを判定する。
【００５９】
通話成立判定部２３ａは、例えば、以下の場合、通話が成立した又は通話が成立しなかったと判定する。
【００６０】
すなわち、通話が成立した場合とは、携帯端末１になされた発信操作に起因した発信要求が基地局を経由して、連絡先相手の携帯電話や固定電話等に届き、その連絡先相手が、その着信に対して応答した場合をいう。ただし、連絡先相手の携帯電話や固定電話等の留守番電話に録音された場合も含む。
【００６１】
通話が成立しない場合とは、例えば、以下のような場合を挙げることができる。
【００６２】
携帯端末１になされた発信操作に起因した発信要求が基地局等の無線網に投じられる前に何らかの理由により、それが失敗した場合。
【００６３】
携帯端末１になされた発信操作に起因した発信要求が基地局等を経由する際に何らかの理由により、その要求が拒否されたり、失敗した場合。
【００６４】
携帯端末１になされた発信操作に起因した発信要求が基地局等を経由して、連絡先相手の携帯電話や固定電話等に届き着信しても、連絡先相手が着信に応答せず拒否操作を行った場合。
【００６５】
携帯端末１になされた発信操作に起因した発信要求が基地局等を経由して、連絡先相手の携帯電話や固定電話等に届き着信しても、連絡先相手が着信に応答せず一定期間経過により基地局側により切断された場合。
【００６６】
基地局等の無線網のどこかの状況が悪化することにより、無線通信を継続できなくなった場合。
【００６７】
携帯端末１の発信処理中、どこかの時点で発信者であるユーザーによって発信が中断された場合。
【００６８】
メール送受信制御部２４は、携帯端末１でメールの送受信を行うための制御部である。メール送受信制御部２４は、記憶部３０からメールアプリケーション３４を読み込み、その読み込んだメールアプリケーション３４を実行することで、通信部１０を通じてメールを送信したり、受信したりする。
【００６９】
ＳＮＳ送受信制御部２５は、携帯端末１でいわゆるＳＮＳ（ソーシャルネットワークサービス）を利用するための処理を行う制御部である。ＳＮＳ送受信制御部２５は、記憶部３０からＳＮＳアプリケーション３５を読み込み、その読み込んだＳＮＳアプリケーション３５を実行することで、通信部１０を通じて各種ＳＮＳを利用するための情報を送信したり、受信したりする。
【００７０】
ＳＮＳとは、一般的に利用されているような、例えば、ｍｉｘｉ（登録商標）や、Ｔｗｉｔｔｅｒ（登録商標）等である。
【００７１】
状態管理制御部２６は、例えば、電池残量管理等、携帯端末１の各種状態を管理するための制御部である。状態管理制御部２６は、記憶部３０から状態管理用プログラム３６を読み込み、その読み込んだ状態管理用プログラム３６を実行することで、携帯端末１の各種状態を管理する。
【００７２】
電話帳アプリケーション３２は、電話帳制御部２２に実行させることで、携帯端末１に電話帳機能を発揮させるためのプログラムである。電話帳アプリケーション３２は、例えば、連絡先一覧画面３２０ａを表示するためのプログラムや、連絡先相手の詳細画面３２０ｂを表示するためのプログラム等を含む。
【００７３】
電話アプリケーション３３は、電話帳アプリケーション３２とは異なるプログラムであり、通話制御部２３に実行させることで、携帯端末１に電話機能を発揮させるためのプログラムである。電話アプリケーション３３は、電話番号等入力画面３３０ａを表示するためのプログラム、発信履歴表示画面３３０ｂを表示するためのプログラム、着信履歴表示画面３３０ｅを表示するためのプログラム、発信中画面３３０ｃを表示するためのプログラム、通話中画面３３０ｄを表示するためのプログラム等を含む。
【００７４】
メールアプリケーション３４は、メール送受信制御部２４に実行させることで、メールの送受信を行うためのプログラムである。
【００７５】
ＳＮＳアプリケーション３５は、ＳＮＳ送受信制御部２５に実行させることで、ＳＮＳを利用するためのプログラムである。
【００７６】
状態管理用プログラム３６は状態管理制御部２６に実行させることで、携帯端末１の各種状態を管理するためのプログラムである。
【００７７】
電話帳Ｄ３７は、連絡先相手の氏名と、当該氏名と対応付けて、その連絡先相手の各種連絡先情報を登録しておきためのＤＢである。
【００７８】
図３は、電話帳ＤＢの一例を表す図である。
【００７９】
図３に示すように電話帳ＤＢ３７には、複数の連絡先相手の氏名と、その氏名と対応付けて、連絡先情報として、電話番号、メールアドレス、ＳＮＳ連絡先、グループなどが登録されている。
【００８０】
（比較例の携帯端末の表示画面の遷移及び処理の説明）
次に、本実施の形態に係る携帯端末１の表示画面の遷移及び処理の流れを説明する前に、比較例として、携帯端末１とは異なる２種類の携帯端末の表示画面の遷移及び処理について説明する。
【００８１】
まず、図４及び図５を用いて、比較例１に係る携帯端末の表示画面の遷移及び処理について説明する。
【００８２】
上記携帯端末では、電話帳アプリケーションから連絡先を選択して発信する場合と、発信履歴画面から連絡先を選択する場合とで以下のように処理する。
【００８３】
まず、電話帳アプリケーションから、連絡先を選択して発信する場合について説明する。
【００８４】
図４は、比較例１の携帯端末の表示画面の遷移を表す図である。図５は、比較例１の携帯端末の処理の流れを表すフローチャートである。
【００８５】
上記携帯端末は、タッチパネル式の表示部を備えている。図４に示す各表示画面は、上記表示部に表示された画面である。
【００８６】
図４に示すように、上記携帯端末の表示部は、発信操作を行う前の画面として待ち受け画面８１０を表示している（図５のステップＳ１０１）。上記携帯端末の表示部に表示された待ち受け画面８１０には、電話帳アプリケーション起動用アイコン８２０、電話アプリケーション起動用アイコン８３０が配されている。
【００８７】
ユーザーにより、電話帳アプリケーション起動用アイコン８２０が選択される。すると、上記携帯端末は、電話帳アプリケーション８３２を起動し、図４の矢印Ａ１０１に示すように、上記表示部の表示画面は遷移し、上記表示部は、電話帳アプリケーションの連絡先一覧画面８２０ａを表示する（図５のステップＳ１０２）。
【００８８】
連絡先一覧画面８２０ａに表示されている複数の連絡先欄８２１ａのうち、所望の相手の連絡先欄８２１ａを、ユーザーが選択すると、矢印Ａ１０２に示すように、上記表示部は、選択された連絡先相手の詳細画面８２０ｂを表示する（図５のステップＳ１０３）。連絡先相手の詳細画面８２０ｂには、発信アイコン８２１ｂ、メールアプリケーション起動アイコン３２２ｂ・３２３ｂが配されている。
【００８９】
ユーザーが発信アイコン８２１ｂを選択すると、上記携帯端末は、電話アプリケーション８３３を起動し、連絡先相手の詳細画面８２０ｂに表示されている電話番号へ発信し（図５ステップＳ１０４）、図４の矢印Ａ１０３に示すように、上記表示部の表示画面は遷移し、上記表示部は、発信中画面８３０ｃを表示する（図５のステップＳ１０５）。
【００９０】
そして、上記携帯端末は、連絡先相手との通話の成立の有無を判定する（図５のステップＳ１０６）。
【００９１】
連絡先相手との通話が成立した場合（図５のステップＳ１０６のＹＥＳ）、図４の矢印Ａ１０４に示すように表示画面は遷移し、上記表示部は、通話中画面８３０ｄを表示する（図５のステップＳ１０７）。そして、通話中画面８３０ｄに配されている通話終了アイコン８３１ｄを選択するなどして、ユーザーが終話操作をすると（図５のステップＳ１０８）、図４の矢印Ａ１０５に示すように上記表示部の表示画面は遷移し、上記表示部は、電話帳アプリケーションの連絡先相手の詳細画面８２０ｂを表示する。すなわち、図５のステップＳ１０３に戻る。
【００９２】
また、上記表示部が、発信中画面８３０ｃを表示している際、連絡先相手との通話が成立しなかった場合（図５のステップＳ１０６のＮＯ）、図４の矢印Ａ１０６に示すように上記表示部の表示画面は遷移し、上記表示部は、電話帳アプリケーションの連絡先相手の詳細画面８２０ｂを表示する。すなわち、図５のステップＳ１０３に戻る。
【００９３】
次に、図４を用いて、上記携帯電話の、電話アプリケーションの発信履歴画面から連絡先を選択して発信する場合の表示画面の遷移及び処理について説明する。
【００９４】
図４に示すように、上記携帯端末の表示部は、発信操作を行う前の画面として待ち受け画面８１０を表示している。
【００９５】
ユーザーにより、電話アプリケーション起動用アイコン８３０が選択される。すると、上記携帯端末は、電話アプリケーション８３３を起動し、図４の矢印Ｂ１０１に示すように、上記表示部の表示画面は遷移し、上記表示部は、電話アプリケーション８３３の電話番号等入力画面８３０ａを表示する。次に、ユーザーにより、電話番号等入力画面８３０ａに配されている発信履歴アイコン８３４ａが選択される。
【００９６】
すると、図４の矢印Ｂ１０２に示すように、上記表示部の表示画面は遷移し、上記表示部は、発信履歴表示画面８３０ｂを表示する。発信履歴表示画面８３０ｂには、過去に通話した連絡先を示す連絡先欄８３１ｂが、時系列に配されている。
【００９７】
ユーザーにより、所望の連絡先欄８３１ｂに配されている発信アイコン８３２ｂが選択されると、上記携帯端末は、当該選択された連絡先欄８３１ｂに表示されている電話番号へ発信すると共に、図４の矢印Ｂ１０３に示すように、上記表示部の表示画面は遷移し、上記表示部は、発信中画面８３０ｃを表示する。
【００９８】
そして、上記携帯端末は、連絡先相手との通話の成立の有無を判定する。
【００９９】
連絡先相手との通話が成立した場合、図４の矢印Ｂ１０４に示すように表示画面は遷移し、上記表示部は、通話中画面８３０ｄを表示する。そして、ユーザーが、通話終了アイコン８３１ｄを選択するなどして、終話操作をすると、図４の矢印Ｂ１０５に示すように上記表示部の表示画面は遷移し、上記表示部は、待ち受け画面８１０を表示する。
【０１００】
一方、上記表示部が、発信中画面８３０ｃを表示している際、連絡先相手との通話が成立しなかった場合、図４の矢印Ｂ１０６に示すように上記表示部の表示画面は遷移し、上記表示部は、発信履歴表示画面８３０ｂを表示する。
【０１０１】
このように、比較例１に係る携帯端末では、電話アプリケーション８３３の発信履歴表示画面８３０ｂから連絡先に発信した場合は、連絡先相手と通話が成立すると、通話中画面８３０ｄを表示後、表示部は、発信履歴表示画面８３０ｂを表示するのではなく、図４の矢印Ｂ１０５に示すように、待ち受け画面８１０を表示する。
【０１０２】
これは、連絡先相手と通話が成立した場合、上記表示部が通話履歴表示画面８３０ｂを表示した目的は、連絡先相手との通話により達成されているためである。これにより、通話終了後、ユーザーは、他の操作を行いたい際に、通話履歴表示画面８３０ｂが表示されないので、通話履歴表示画面８３０ｂを終了させる操作を行うという手間を省くことができる。
【０１０３】
また、上記携帯端末では、電話アプリケーション８３３の発信履歴表示画面８３０ｂから連絡先に発信した場合であり、連絡先相手と通話が成立しなかった場合は、図４の矢印Ｂ１０６に示すように、表示部は発信履歴表示画面８３０ｂを表示する。これにより、リダイヤルを行うための操作が少なくて済むので、ユーザーの利便性が向上する。
【０１０４】
一方で、電話帳アプリケーション８３２の連絡先一覧画面８２０ａから連絡先相手に発信した場合、連絡先相手との通話の成立の有無に関わらず、図４の矢印Ａ１０６又は矢印Ａ１０５に示すように表示画面が遷移することで、表示部は再び連絡先相手の詳細画面８２０ｂを表示する。
【０１０５】
このように、上記携帯端末では、電話アプリケーション８３３の発信履歴表示画面８３０ｂから発信したときだけ、連絡先相手との通話の成立の有無により、その後の表示画面を変更しており、電話帳アプリケーション８３２の連絡先相手の詳細画面８２０ｂから発信したときは、連絡先相手との通話の成立の有無によって、その後に表示する画面を変更することなく、同じ連絡先相手の詳細画面８２０ｂを表示する。
【０１０６】
これは、発信履歴表示画面８３０ｂと、連絡先相手との通話成立の有無の判定及びその際に表示する発信中画面８３０ｃと、が同じ電話アプリケーション８３３であり、連絡先相手の詳細画面８２０ｂは電話アプリケーション８３３とは異なる電話帳アプリケーション８３２だからである。
【０１０７】
すなわち、連絡先相手との通話成立の有無の判定を行う電話アプリケーション８３３とは異なるアプリケーションに、通話成立の有無によって、異なる表示画面を表示させる処理を行わせることは、プログラムの開発の手間がかかるため、これまで成されていなかった。
【０１０８】
しかし、ユーザーの利便性を向上させるための開発を行っていく中で、以下のような課題が明らかとなってきた。
【０１０９】
すなわち、上記携帯端末では、電話帳アプリケーション８３２の連絡先相手の詳細画面８２０ｂから連絡先相手に発信した場合であり、通話が成立した場合は、その通話成立により、連絡先相手の詳細画面８２０ｂを表示した目的を達成しているにも関わらず、再び、連絡先相手の詳細画面８２０ｂを表示する。このため、ユーザーは、再び表示された連絡先相手の詳細画面８２０ｂを閉じる必要があり、手間が生じる。
【０１１０】
さらに、連絡先相手の詳細画面８２０ｂには、通話履歴表示画面８３０ｂより、多くの個人情報が含まれている場合が多い。このため、通話成立後、上記表示部の表示画面をそのままとし上記携帯端末を待機状態としたい場合でも、ユーザーは、連絡先相手の詳細画面８２０ｂを閉じる操作を行う必要があり、手間が生じる。
【０１１１】
一方で、連絡先相手の詳細画面８２０ｂから発信した場合であり、通話が成立しなかった場合には、上記の通り、連絡先相手の詳細画面８２０ｂを再度、表示する必要がある。これにより、リダイヤル操作や、別の電話番号へ発信する際の操作や、メール送信など、別の方法で連絡するための操作を行うために、再度電話帳アプリケーション８３２を起動する手間を省くことができるためである。
【０１１２】
このように、電話帳アプリケーション８３２の表示画面から発信した場合でも、通話の成立有無により、その後の表示画面を分ける必要があるという課題を見出した。
【０１１３】
さらに、上記携帯端末の場合、電話アプリケーション８３３の発信履歴表示画面８３０ｂから発信し、連絡先相手との通話が成立しなかった際のリダイヤルの手間を省くことは出来る。しかし、電話アプリケーション８３３の発信履歴表示画面８３０ｂから発信し、相手との通話が成立しなかったときに、電話帳ＤＢに登録されている別の連絡先の電話番号や、電話番号以外の情報を使ったコミュニケーションを取ることができない。
【０１１４】
具体的には、電話番号と結びついていないメールアドレス（例えば、Ｇｍａｉｌ（登録商標））や、ＳＮＳ（Ｔｗｉｔｅｒ（登録商標）等）を使用した連絡や、同じグループに属する別の相手、例えば、「会社」グループとして登録されている誰かに連絡を取りたいときに「会社」グループに属する連絡先へ順番に連絡していくなどの操作ができず、電話帳アプリケーション８３２の連絡先相手の詳細画面８２０ｂから発信したとき、相手との通話が成立しなければ、その都度、ユーザーは、電話帳アプリケーション８３２の連絡先一覧画面８２０ａを立ち上げる必要があり、手間が生じるため、利便性が低い、
また、上記比較例１とは異なる比較例２に係る携帯端末では、連絡先相手の詳細画面８２０ｂと同じ電話帳アプリケーションの連絡先相手の詳細画面から発信した場合、連絡先相手と通話が成立したか否かに関わらず、発信中画面又は通話中画面を表示後、待ち受け画面８１０と同じ待ち受け画面を表示する。
【０１１５】
しかし、比較例２に係る携帯端末でも、電話帳アプリケーションの連絡先相手の詳細画面から発信した場合に、通話の成立の有無により、異なる表示画面を表示させる処理は行われていない。
【０１１６】
本実施の形態の携帯端末１は、上述した各課題を解決するために以下のような処理を行っている。以下、本実施の形態の携帯端末１の画面遷移及び処理等を説明する。
【０１１７】
（携帯端末１の表示画面の遷移の説明）
次に、本実施の形態に係る携帯端末１について、電話アプリケーションの発信履歴画面から発信する場合と、電話帳アプリケーションの連絡先相手の詳細画面から発信する場合とのそれぞれの表示画面及びその表示画面の遷移について説明する。
【０１１８】
図６は、携帯端末１の表示画面及び表示画面の遷移を表す図である。
【０１１９】
図６に示す各表示画面は、携帯端末１の表示部１３に表示されている表示画面である。
【０１２０】
まず、ユーザーが、電話帳アプリケーションの連絡先相手の詳細画面から連絡先の相手に発信する場合の、表示部１３の表示画面及び表示画面の遷移について説明する。
【０１２１】
図６に示すように、携帯端末１の表示部１３は、ユーザーが発信操作を行う前の画面として、待ち受け画面３１０を表示している。
【０１２２】
待ち受け画面（アイコン用画面）３１０には、電話帳アプリケーション起動用アイコン（電話帳用アイコン）３２０、電話アプリケーション起動用アイコン（通話用アイコン）３３０、メールアプリケーション起動用アイコン３４０、ＳＮＳ起動用アイコン３５０・３５１等が配されている。なお、待ち受け画面３１０には、その他のさまざまなアプリケーションを起動するためのアイコンが配されていてもよい。
【０１２３】
電話帳アプリケーション起動用アイコン３２０は、電話帳アプリケーション３２を起動するためのアイコンである。電話アプリケーション起動用アイコン３３０は電話アプリケーション３３を起動するためのアイコンである。メールアプリケーション起動用アイコン３４０はメールアプリケーション３４を起動するためのアイコンである。ＳＮＳアプリケーション起動用アイコン３５０・３５１はＳＮＳアプリケーション３５を起動するためのアイコンである。
【０１２４】
ＳＮＳアプリケーション３５は、例えば、ｍｉｘｉ（登録商標）や、Ｔｗｉｔｔｅｒ（登録商標）等、いわゆるＳＮＳ（ソーシャルネットワークサービス）を利用するためのアプリケーションである。
【０１２５】
待ち受け画面３１０に表示されている各アイコンのうち、ユーザーにより、電話帳アプリケーション起動用アイコン３２０が選択される。すると、制御部２０は、電話帳アプリケーション３２を起動し、図６の矢印Ａ１に示すように表示部１３の表示画面は遷移し、表示部１３は、電話帳アプリケーション３２の連絡先一覧画面３２０ａを表示する。
【０１２６】
連絡先一覧画面３２０ａには、電話帳ＤＢ３６に登録されている連絡先相手の氏名が表示された連絡先欄３２１ａが複数配されている。複数の連絡先欄３２１ａのそれぞれは、例えば５０音順など、順番に連絡先相手の氏名を並べるようにして、連絡先一覧画面３２０ａに配されている。
【０１２７】
そして、ユーザーが連絡を希望する相手の氏名が表示された連絡先欄３２１ａが、当該ユーザーにより選択される。一例として、氏名「青木太郎」が表示されている連絡先欄３２１ａが選択されたとする。
【０１２８】
すると、図６の矢印Ａ２に示すように、表示部１３は、ユーザーにより選択された連絡先欄３２１ａに表示されている氏名と対応付けて、電話帳ＤＢ３７に登録されている各種の連絡先が表示された、連絡先相手の詳細画面３２０ｂを表示する。
【０１２９】
一例として、表示部１３は、連絡先相手の詳細画面３２０ｂに、氏名「青木太郎」及び、氏名「青木太郎」と対応付けて、電話帳ＤＢ３７に登録されている、電話番号、メールアドレス、ＳＮＳ連絡先、グループ等の各種連絡先が表示された連絡先相手の詳細画面３２０ｂを表示する。
【０１３０】
また、連絡先相手の詳細画面３２０ｂには、発信アイコン３２１ｂ、メールアプリケーション起動用アイコン３２２ｂ・３２３ｂが配されている。ユーザーにより、メールアプリケーション起動用アイコン３２２ｂやメールアプリケーション起動用アイコン３２３ｂが選択されると、携帯端末１は、メールアプリケーション３４を起動する。さらに、連絡先相手の詳細画面３２０ｂには、例えばｍｉｘｉ（登録商標）やＴｗｉｔｔｅｒ（登録商標）などの、いわゆるＳＮＳ利用するためのＳＮＳアプリケーション起動用アイコン３５０・３５１が配されていてもよい。
【０１３１】
また、発信アイコン３２１ｂが選択されると、携帯端末１は、連絡先相手の詳細画面３２０ｂに表示されている電話番号へ発信する。
【０１３２】
ここでは、ユーザーにより、発信アイコン３２１ｂが選択されたとする。
【０１３３】
すると、制御部２０は電話アプリケーション３３を起動し、携帯端末１は連絡先相手の詳細画面３２０ｂに表示されている電話番号へ発信し、図６の矢印Ａ３に示すように表示部１３の表示画面は遷移し、表示部１３は、発信中画面３３０ｃを表示する。
【０１３４】
発信中画面３３０ｃには、「発信中」との文字や、発信先の電話番号等が表示され、また、発信を終了するための通話終了アイコン３３１ｃが配されている。
【０１３５】
そして、連絡先相手との通話が成立した場合、図６の矢印Ａ４に示すように表示画面は遷移し、表示部１３は、通話中画面３３０ｄを表示する。
【０１３６】
通話中画面３３０ｄには、相手の電話番号や、「通話中」との文字が表示され、また、通話を終了するための通話終了アイコン３３１ｄが配されている。
【０１３７】
次に、ユーザーが、通話中画面３３０ｄに配されている通話終了アイコン３３１ｄを選択するなどして、ユーザーが終話操作をすると、図６の矢印Ａ５に示すように表示画面は遷移し、表示部１３は、電話帳アプリケーション３２の各表示画面ではなく、待ち受け画面３１０を表示する。
【０１３８】
一方、表示部１３が発信中画面３３０ｃを表示している際、すなわち、携帯端末１が発信している際、連絡先相手との通話が成立しなかった場合、図６の矢印Ａ６に示すように表示部１３の表示画面は遷移し、表示部１３は、発信中画面３３０ｃの一つ前に表示していた、電話帳アプリケーション３２の連絡先相手の詳細画面３２０ｂを表示する。
【０１３９】
そして、ユーザーは、再び表示された連絡先相手の詳細画面３２０ｂから、通話が成立しなかった連絡先相手の電話番号にリダイヤルしたり、メールやＳＮＳなどの他の連絡手段を用いて、その通話が成立しなかった連絡先相手に情報を送信したりすることができる。このため、効率よく情報のやり取りを行うことができる。
【０１４０】
次に、ユーザーが、電話アプリケーション３３の発信履歴画面から連絡先の相手に発信する場合の、表示部１３の表示画面及び表示画面の遷移について説明する。
【０１４１】
まず、図６に示すように、携帯端末１の表示部１３は、ユーザーが発信操作を行う前の画面として、待ち受け画面３１０を表示している。
【０１４２】
待ち受け画面３１０に表示されている各アイコンのうち、ユーザーにより、電話アプリケーション起動用アイコン３３０が選択される。すると、制御部２０は、電話アプリケーション３３を起動し、図６の矢印Ｂ１に示すように表示部１３の表示画面は遷移し、表示部１３は、電話アプリケーション３３の電話番号等入力画面３３０ａを表示する。
【０１４３】
電話番号等入力画面３３０ａには、テンキー３３１ａや、発信するための発信アイコン３３２ａや、発信履歴を表示するための発信履歴アイコン３３４ａや、着信履歴を表示するための着信履歴アイコン３３３ａ等が配されている。
【０１４４】
ここでは、ユーザーにより、発信履歴アイコン３３４ａが選択される。
【０１４５】
すると、図６の矢印Ｂ２に示すように、表示部１３の表示画面は遷移し、表示部１３は、発信履歴表示画面（発信履歴画面）３３０ｂを表示する。
【０１４６】
発信履歴表示画面３３０ｂには、過去に携帯端末１から発信した連絡先を示す連絡先欄３３１ｂや、着信履歴アイコン３３３ｂや、発信履歴アイコン３３４ｂ等が配されている。連絡先欄３３１ｂは、携帯端末１が発信した時刻が新しい方から古い方に、時系列に並んで配されている。各連絡先欄３３１ｂには、連絡した相手の電話番号が表示されている。
【０１４７】
また、連絡先欄３３１ｂには、当該電話番号と対応付けられている氏名が電話帳ＤＢ３７に登録されている場合、その対応付けられている氏名も表示されている。
【０１４８】
さらに、各連絡先欄３３１ｂには、連絡先欄３３１ｂに表示されている電話番号に発信するための発信アイコン３３２ｂが配されている。
【０１４９】
そして、ユーザーにより、所望の連絡先欄３３１ｂに配されている発信アイコン３３２ｂが選択されると、携帯端末１は、当該選択された連絡先欄３３１ｂに表示されている電話番号へ発信すると共に、図６の矢印Ｂ３に示すように、表示部１３の表示画面は遷移し、表示部１３は、発信中画面３３０ｃを表示する。
【０１５０】
そして、連絡先相手との通話が成立した場合、図６の矢印Ｂ４に示すように表示画面は遷移し、表示部１３は、通話中画面３３０ｄを表示する。
【０１５１】
次に、ユーザーが、通話終了アイコン３３１ｄを選択するなどして、終話操作をすると、図６の矢印Ｂ５に示すように表示画面は遷移し、表示部１３は、待ち受け画面３１０を表示する。
【０１５２】
一方、表示部１３が発信中画面３３０ｃを表示している際、すなわち、携帯端末１が発信している際、連絡先相手との通話が成立しなかった場合、図６の矢印Ｂ６に示すように表示部１３の表示画面は遷移し、表示部１３は、発信履歴表示画面３３０ｂを表示する。
【０１５３】
また、図７に示すように、ユーザーが、電話アプリケーション３３の着信履歴画面から連絡先の相手に発信するようにしてもよい。図７は携帯端末１の表示画面及び表示画面の遷移を表す図である。
【０１５４】
図６と、図７とでは、発信履歴画面３３０ｂを着信履歴表示画面３３０ｅに置き換えた点が相違する。
【０１５５】
図７に示すように、表示部１３に表示されている電話番号等入力画面３３０ａの着信履歴アイコン３３３ａが選択されると、図７の矢印Ｂ７に示すように、表示部１３の表示画面は遷移し、表示部１３は、着信履歴表示画面（着信履歴画面）３３０ｅを表示する。
【０１５６】
着信履歴表示画面３３０ｅには、過去に携帯端末１が着信した連絡先を示す連絡先欄３３１ｅや、着信履歴アイコン３３３ｅや、発信履歴アイコン３３４ｅ等が配されている。連絡先欄３３１ｅは、携帯端末１が着信した時刻が新しい方から古い方に、時系列に並んで配されている。各連絡先欄３３１ｅには、連絡した相手の電話番号が表示されている。
【０１５７】
また、連絡先欄３３１ｅには、当該電話番号と対応付けられている氏名が電話帳ＤＢ３７に登録されている場合、その対応付けられている氏名も表示されている。
【０１５８】
さらに、各連絡先欄３３１ｅには、連絡先欄３３１ｅに表示されている電話番号に発信するための発信アイコン３３２ｅが配されている。
【０１５９】
そして、ユーザーにより、所望の連絡先欄３３１ｅに配されている発信アイコン３３２ｅが選択されると、携帯端末１は、当該選択された連絡先欄３３１ｅに表示されている電話番号へ発信すると共に、図７の矢印Ｂ８に示すように、表示部１３の表示画面は遷移し、表示部１３は、発信中画面３３０ｃを表示する。これ以降の画面遷移は、図６を用いて説明したものと同様である。
【０１６０】
（携帯端末１の処理の説明）
次に、図１、図８、図９を用いて、携帯端末１の処理の流れについて説明する。
【０１６１】
まず、ユーザーが、電話帳アプリケーションの連絡先相手の詳細画面から連絡先の相手に発信する場合の携帯端末１の処理の流れについて説明する。
【０１６２】
図８は、電話帳アプリケーションの連絡先相手の詳細画面から連絡先の相手に発信する場合の携帯端末１の処理の流れを表すフローチャートである。
【０１６３】
待ち受け画面制御部２１は、記憶部３０を参照し、待ち受け画面表示プログラム３１を実行し、待ち受け画面を表示するための信号を表示部１３に出力する。
【０１６４】
表示部１３は、待ち受け画面制御部２１から、待ち受け画面を表示するための信号を取得すると、発信操作を行う前の画面として、待ち受け画面３１０を表示する（ステップＳ１１）。
【０１６５】
次に、ユーザーによって、電話帳アプリケーション起動用アイコン３２０が選択されることで、操作部１４から、電話帳アプリケーション起動用アイコン３２０が選択された旨の信号を制御部２０が取得すると、電話帳制御部２２は、記憶部３０を参照し、電話帳アプリケーション３２を読み込むことで実行し、また、電話帳ＤＢ３７を参照し、電話帳ＤＢ３７に登録されている複数の連絡先相手の氏名を表示するための連絡先一覧画面３２０ａを表示するための信号を表示部１３に出力する。
【０１６６】
表示部１３は、電話帳制御部２２から、連絡先一覧画面３２０ａを表示するための信号を取得すると、連絡先一覧画面３２０ａを表示する（ステップＳ１２）。このようにして、電話帳制御部２２は、表示部１３に連絡先一覧画面３２０ａを表示させる。
【０１６７】
次に、ユーザーによって、連絡先一覧画面３２０ａに表示されている複数の氏名をそれぞれ表示する複数の連絡先欄３２１ａのうち、何れかの氏名、すなわち、何れかの連絡先欄３２１ａが選択されることで、操作部１４から、当該連絡先欄３２１ａが選択された旨の信号を制御部２０が取得すると、電話帳制御部２２は、記憶部３０を参照し、選択された連絡先欄３２１ａに表示されている氏名と対応付けられている各種連絡先に関する情報を取得し、選択された連絡先欄３２１ａに対応する連絡先相手の詳細画面３２０ｂを表示するための信号を表示部１３に出力する。
【０１６８】
表示部１３は、電話帳制御部２２から、連絡先相手の詳細画面３２０ｂを表示するための信号を取得すると、連絡先相手の詳細画面３２０ｂを表示する（ステップＳ１３）。このようにして、電話帳制御部２２は、表示部１３に連絡先相手の詳細画面３２０ｂを表示させる。
【０１６９】
次に、ユーザーによって、連絡先相手の詳細画面３２０ｂに配されている発信アイコン３２１ｂが選択されることで、操作部１４から、発信アイコン３２１ｂが選択された旨の信号を制御部２０が取得すると、通話制御部２３は、記憶部３０を参照し、電話アプリケーション３３を起動し、連絡先相手の詳細画面３２０ｂに表示されている電話番号へ発信する旨の信号を通信部１０に出力すると共に、発信中画面３３０ｃを表示するための信号を表示部１３に出力する。
【０１７０】
通信部１０は、通話制御部２３から、上記発信する旨の信号を取得すると、所定の基地局に通話用の無線信号を出力する。すなわち、通信部１０は、表示部１３に表示されている電話番号へ発信する（ステップＳ１４）。
【０１７１】
このようにして、通話制御部２３は、連絡先相手の詳細画面３２０ｂに含まれる連絡先相手の氏名と対応付けて電話帳ＤＢ３７に登録されている電話番号へ発信処理を行う。
【０１７２】
また、表示部１３は、通話制御部２３から、発信中画面３３０ｃを表示するための信号を取得すると、発信中画面３３０ｃを表示する（ステップＳ１５）。このように、通話制御部２３は、連絡先相手の詳細画面３２０ｂに含まれる連絡先相手の氏名と対応付けて電話帳ＤＢ３７に登録されている電話番号へ発信処理すると共に、表示部１３に発信中画面３３０ｃを表示させる。また、この際、電話帳制御部２２は、表示部１３に表示させていた連絡先相手の詳細画面３２０ｂを表示するための信号を、一旦、メモリー等に一次的に記憶しておく。
【０１７３】
そして、通話制御部２３が発信処理をすると、通話成立判定部２３ａは、通話が成立したか否かを判定する（ステップＳ１６）。
【０１７４】
通話成立判定部２３ａが、通話が成立したと判定すると（ステップＳ１６のＹＥＳ）、通話制御部２３は、通話中画面３３０ｄを表示するための信号を表示部１３に出力する。表示部１３は、通話中画面３３０ｄを表示するための信号を通話制御部２３から取得すると、通話中画面３３０ｄを表示する（ステップＳ１７）。
【０１７５】
次に、ユーザーが、通話中画面３３０ｄの通話終了アイコン３３１ｄを選択するなど終話操作をすると（ステップＳ１８）、操作部１４から、ユーザーが終話操作をした旨の信号が制御部２０に出力され、通話制御部２３は、通話を終了する旨の信号を待ち受け画面制御部２１に出力し、電話アプリケーション３３の実行を終了することで立ち下げる。さらに、電話帳制御部２２も電話帳アプリケーション３２の実行を終了することで、電話帳アプリケーション３２を立ち下げる。
【０１７６】
また、待ち受け画面制御部２１は、通話制御部２３から通話を終了する旨の信号を取得すると、記憶部３０を参照し、待ち受け画面表示プログラム３１を実行し、待ち受け画面を表示するための信号を表示部１３に出力する。
【０１７７】
表示部１３は、待ち受け画面制御部２１から、待ち受け画面３１０を表示するための信号を取得すると、待ち受け画面３１０を表示する。すなわち、ステップＳ１１に戻る。
【０１７８】
このようにして、通話成立判定部２３ａが通話が成立したと判定すると、待ち受け画面制御部２１は、待ち受け画面表示プログラム３１を実行し、表示部１３は、待ち受け画面３１０を表示する。
【０１７９】
また、ステップＳ１６で、通話成立判定部２３ａが、通話が成立しないと判定すると（ステップＳ１６のＮＯ）、通話制御部２３は、通話を終了する旨の信号を電話帳制御部２２に出力し、電話アプリケーション３３を立ち下げることで、発信中画面３３０ｃの表示を終了させる。
【０１８０】
また、電話帳制御部２２は、通話制御部２３から通話を終了する旨の信号を取得すると、一旦メモリーに記憶していた、連絡先相手の詳細画面３２０ｂを表示するための信号を読み込み、連絡先相手の詳細画面３２０ｂを表示するための信号を表示部１３に出力する。
【０１８１】
表示部１３は、電話帳制御部２２から、連絡先相手の詳細画面３２０ｂを表示するための信号を取得すると、再び、連絡先相手の詳細画面３２０ｂを表示する。すなわち、ステップＳ１３に戻る。
【０１８２】
このようにして、通話成立判定部２３ａが通話が成立しないと判定すると、電話帳制御部２２は、通話制御部２３が発信中画面３３０ｃの表示を終了させた後、再び、発信中画面３３０ｃの一つ前に表示させていた連絡先相手の詳細画面３２０ｂを、表示部１３に表示させる。
【０１８３】
このように、携帯端末１では、通話制御部２３が発信処理をした際、通話成立判定部２３ａが、通話が成立したか否かを判定するため、特許文献１に記載のように予め、連絡先相手の通話可能な時間を電話帳ＤＢ３７に登録しておく必要が無く、連絡先相手の情報を電話帳ＤＢ３７に登録する際のユーザーの負担増加を抑制することができる。このため、利便性の低下を抑制することができる。
【０１８４】
さらに、携帯端末１では、表示部１３に表示される連絡先相手の詳細画面３２０ｂから、連絡先相手の詳細画面３２０ｂに表示されている連絡先相手の氏名と対応付けて電話帳ＤＢ３７に登録されている電話番号へ、通話制御部２３が発信処理を行った際、通話成立判定部２３ａが通話が成立したと判定すると、電話帳制御部２２は、電話帳アプリケーション３２の実行を終了することで、電話帳アプリケーション３２を立ち下げる。
【０１８５】
このように、通話の成立により、表示部１３に表示された目的が達成された連絡先相手の詳細画面３２０ｂを表示していた電話帳アプリケーション３２の実行は電話帳制御部２２により終了されるので、個人情報が多く含まれる連絡先相手の詳細画面３２０ｂ等、電話帳アプリケーション３２が実行されることで表示部１３に表示される画面が、ユーザーの操作無しに再び表示されることは無い。
【０１８６】
このため、携帯端末１では、連絡先相手の詳細画面３２０ｂを閉じるために、ユーザーが何らかの操作をする必要が無い。
【０１８７】
この結果、上述した比較例１の携帯端末のように、連絡先相手の詳細画面８２０ｂから発信した場合であって、連絡先相手と通話が成立したにも関わらず、再び、連絡先相手の詳細画面８２０ｂが表示される場合とは異なり、ユーザーの利便性を向上させて、電話帳ＤＢ３７に登録されている個人情報が表示され続けることを防止することができる。
【０１８８】
さらに、電話帳アプリケーション３２を実行することで表示部１３に表示される連絡先相手の詳細画面８２０ｂから、その連絡先相手の詳細画面８２０ｂに表示されている連絡先相手の氏名と対応付けて電話帳ＤＢ３７に登録されている電話番号へ、通話制御部２３が発信処理を行った際、通話成立判定部２３ａが通話が成立しなかったと判定すると、通話制御部２３が発信中画面３３０ｃの表示を終了させた後、電話帳制御部２２は、一旦、メモリーに記憶していた連絡先相手の詳細画面８２０ｂを表示するための信号を読み込み、再び、連絡先相手の詳細画面８２０ｂを表示部１３に表示させる。
【０１８９】
これにより、上記比較例２の携帯端末とは異なり、再び表示された連絡先相手の詳細画面８２０ｂから、通話が成立しなかった連絡先相手の電話番号に再度リダイヤルしたり、メールやＳＮＳなどの他の連絡手段を用いて、その通話が成立しなかった連絡先相手に情報を送信したりすることができる。
【０１９０】
このため、表示部１３に連絡先相手の詳細画面８２０ｂを表示した目的が達成されていないにも関わらず、連絡先相手の詳細画面８２０ｂが閉じられる場合と比べて、ユーザーの利便性を向上させることができる。
【０１９１】
このように、携帯端末１によると、連絡先相手の詳細画面８２０ｂ等、電話アプリケーション３３とは異なる電話帳アプリケーション３２を実行することで表示される画面から、通話の発信処理を行った場合でも、電話帳ＤＢ３７に登録されている個人情報が表示され続けることを防止し、かつ、ユーザーの利便性の低下を防止することができる。
【０１９２】
このようにして、携帯端末１は、通話成立判定部２３ａが含まれる通話制御部２３が実行するアプリケーションである電話アプリケーション３３とは異なるアプリケーションである電話帳アプリケーション３２の連絡先相手の詳細画面８２０ｂから発信処理をした場合でも、通話成立判定部２３ａが判定する通話成立の有無により、その後に表示部１３に表示する表示画面を分けている。
【０１９３】
このため、電話アプリケーション３３及び電話帳アプリケーション３２間を連携して動作させるためのプログラムの開発の手間がかかるものの、電話帳ＤＢ３７に登録されている個人情報が表示され続けることを防止し、かつ、ユーザーの利便性の低下を防止することができる。
【０１９４】
また、連絡先相手の詳細画面３２０ｂには、発信アイコン３２１ｂ、メールアプリケーション起動用アイコン３２２・３２３ｂが配されており、また、例えばｍｉｘｉ（登録商標）やＴｗｉｔｔｅｒ（登録商標）などの、ＳＮＳ利用するためのアプリケーション起動用アイコンが配されている。
【０１９５】
すなわち、電話帳制御部２２は、通話成立判定部２３ａが通話が成立しなかったと判定すると、連絡先相手の詳細画面８２０ｂを表示部１３に表示させることで、通話が成立しなかった連絡先相手の氏名と対応付けて電話帳ＤＢ３７に登録されているメールアドレスに連絡するためのメールアプリケーション起動用アイコン３２２ｂ・３２３ｂや、ｍｉｘｉ（登録商標）やＴｗｉｔｔｅｒ（登録商標）などのＳＮＳ利用するための情報へ連絡するためのアプリケーション起動用アイコンを、表示部１３に表示させる。
【０１９６】
上記比較例１の携帯端末とは異なり、携帯端末１では、通話が成立しなかった場合に、再び連絡先相手の詳細画面８２０ｂが表示部１３に表示されるので、ユーザーは、通話が成立しなかった連絡先相手に対して、通話だけでなく、メールや、ｍｉｘｉ（登録商標）や、Ｔｗｉｔｔｅｒ（登録商標）等を使用するなど、さまざまな方法で、連絡を取ることができる。このため、連絡のやり取りを効率よく行うことができ、ユーザーの利便性が高い。
【０１９７】
このように、電話帳アプリケーション３２には、音声発信やメール送信など連絡先相手と連絡を取るためのコミュニケーション手段の導線が複数配されている。このため、特に通話が成立しなかった場合、電話帳アプリケーション３２の表示画面へ戻ることで、代替の連絡手段をすぐさま実行することができ、ユーザーの利便性向上効果が大きい。
【０１９８】
次に、図９を用いて、ユーザーが、電話アプリケーションの発信履歴表示画面又は着信履歴画面から連絡先の相手に発信する場合の携帯端末１の処理の流れについて説明する。
【０１９９】
なお、着信履歴画面から連絡先相手に発信する場合は、発信履歴表示画面から連絡先相手に発信する場合と同じ処理であるため、ここでは、主に、発信履歴表示画面から連絡先相手に発信する場合について説明する。
【０２００】
図９は、電話アプリケーションの発信履歴表示画面から連絡先の相手に発信する場合の携帯端末１の処理の流れを表すフローチャートである。
【０２０１】
待ち受け画面制御部２１は、記憶部３０を参照し、待ち受け画面表示プログラム３１を実行し、待ち受け画面３１０を表示するための信号を表示部１３に出力する。
【０２０２】
表示部１３は、待ち受け画面制御部２１から、待ち受け画面を表示するための信号を取得すると、発信操作を行う前の画面として、待ち受け画面３１０を表示する（ステップＳ２１）。
【０２０３】
次に、ユーザーによって、電話アプリケーション起動用アイコン３３０が選択されることで、操作部１４から、電話アプリケーション起動用アイコン３３０が選択された旨の信号を制御部２０が取得すると、通話制御部２３は、記憶部３０を参照し、電話アプリケーション３３を起動し、電話番号等入力画面３３０ａを表示するための信号を、表示部１３に出力する。
【０２０４】
表示部１３は、通話制御部２３から、電話番号等入力画面３３０ａを表示するための信号を取得すると、電話番号等入力画面３３０ａを表示する（ステップＳ２２）。
【０２０５】
次に、ユーザーによって、電話番号等入力画面３３０ａに表示されている発信履歴アイコン３３４ａ（又は着信履歴アイコン３３３ａ）が選択されることで、操作部１４から、発信履歴アイコン３３４ａ（又は着信履歴アイコン３３３ａ）が選択された旨の信号を制御部２０が取得すると、通話制御部２３は、発信履歴表示画面３３０ｂ（又は着信履歴表示画面３３０ｅ）を表示するための信号を表示部１３に出力する。
【０２０６】
表示部１３は、通話制御部２３から、発信履歴表示画面３３０ｂ（又は着信履歴表示画面３３０ｅ）を表示するための信号を取得すると、発信履歴表示画面３３０ｂ（又は着信履歴表示画面３３０ｅ）を表示する（ステップＳ２３）。
【０２０７】
次に、ユーザーによって、発信履歴表示画面３３０ｂ（又は着信履歴表示画面３３０ｅ）に配されている何れかの連絡先欄３３１ｂ（又は連絡先欄３３１ｅ）に配されている発信アイコン３３２ｂ（又は発信アイコン３３２ｅ）が選択されることで、操作部１４から、発信アイコン３３２ｂ（又は発信アイコン３３２ｅ）が選択された旨の信号を制御部２０が取得すると、通話制御部２３は、選択された連絡先欄３３１ｂ（又は連絡先欄３３１ｅ）に表示されている電話番号へ発信する旨の信号を通信部１０に出力すると共に、発信中画面３３０ｃを表示するための信号を表示部１３に出力する。
【０２０８】
通信部１０は、通話制御部２３から、上記発信する旨の信号を取得すると、所定の基地局に通話用の無線信号を出力する。すなわち、通信部１０は、表示部１３に表示されている電話番号へ発信する（ステップＳ２４）。
【０２０９】
また、表示部１３は、通話制御部２３から、発信中画面３３０ｃを表示するための信号を取得すると、発信中画面３３０ｃを表示する（ステップＳ２５）。
【０２１０】
そして、通話成立判定部２３ａは、通話が成立したか否かを判定する（ステップＳ２６）。
【０２１１】
通話成立判定部２３ａが、通話が成立したと判定すると（ステップＳ２５のＹＥＳ）、通話制御部２３は、通話中画面３３０ｄを表示するための信号を表示部１３に出力する。表示部１３は、通話中画面３３０ｄを表示するための信号を通話制御部２３から取得すると、通話中画面３３０ｄを表示する（ステップＳ２７）。
【０２１２】
次に、ユーザーが、通話中画面３３０ｄの通話終了アイコン３３１ｄを選択するなど終話操作をすると（ステップＳ２８）、操作部１４から、ユーザーが終話操作をした旨の信号が制御部２０に出力され、通話制御部２３は、通話を終了する旨の信号を待ち受け画面制御部２１に出力し、電話アプリケーション３３を立ち下げる。また、待ち受け画面制御部２１は、通話制御部２３から通話を終了する旨の信号を取得すると、記憶部３０を参照し、待ち受け画面表示プログラム３１を実行し、待ち受け画面を表示するための信号を表示部１３に出力する。
【０２１３】
表示部１３は、待ち受け画面制御部２１から、待ち受け画面を表示するための信号を取得すると、待ち受け画面３１０を表示する。すなわち、ステップＳ２１に戻る。
【０２１４】
また、ステップＳ２６で、通話成立判定部２３ａが、通話が成立しないと判定すると（ステップＳ２５のＮＯ）、通話制御部２３は、一つ前の画面を表示するため、発信履歴表示画面３３０ｂ（又は着信履歴表示画面３３０ｅ）を表示するための信号を表示部１３に出力する。
【０２１５】
表示部１３は、通話制御部２３から、発信履歴表示画面３３０ｂ（又は着信履歴表示画面３３０ｅ）を表示するための信号を取得すると、発信履歴表示画面３３０ｂ（又は着信履歴表示画面３３０ｅ）を表示する。すなわち、ステップＳ２３に戻る。
【０２１６】
このように、発信履歴表示画面３３０ｂ（又は着信履歴表示画面３３０ｅ）から通話制御部２３が発信処理をした場合であり、通話成立判定部２３ａが通話が成立しないと判定すると、通話制御部２３は、発信中画面３３０ｃを終了し、再び、発信履歴表示画面３３０ｂ（又は着信履歴表示画面３３０ｅ）を表示部１３に表示させる。このため、ユーザーは、再び表示された発信履歴表示画面３３０ｂ（又は着信履歴表示画面３３０ｅ）から、リダイヤル操作を行うことができ、利便性が高い。
【０２１７】
また、発信履歴表示画面３３０ｂ（又は着信履歴表示画面３３０ｅ）から通話制御部２３が発信処理をした場合であり、通話成立判定部２３ａが通話が成立したと判定すると、通話中画面３３０ｄの表示後、待ち受け画面制御部２１は、待ち受け画面３１０を表示部１３に表示させる。このため、ユーザーは、待ち受け画面３１０から、待ち受け画面３１０に表示されている各種アイコンを選択することで、別の操作を行うことができるため、利便性が高い。
【０２１８】
＜プログラムおよび記録媒体＞
本発明の制御部２０における各制御部は、ハードウェアロジックによって構成すればよい。又は、次のように、ＣＰＵ（Central Processing Unit）を用いてソフトウェアによって実現してもよい。
【０２１９】
すなわち、制御部２０の各制御部は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０２２０】
そして、本発明の目的は、制御部２０の各制御部を実現するための制御プログラムは、プログラムメモリに固定的に担持されている場合に限らず、上記プログラムのプログラムコード（実行形式プログラム、中間コードプログラム、又は、ソースプログラム）を記録した記録媒体を、上記制御部２０の各制御部に供給し、が上記記録媒体に記録されている上記プログラムコードを読み出して実行することによっても、達成可能である。
【０２２１】
上記記録媒体は、特定の構造又は種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０２２２】
また、制御部２０の各制御部を通信ネットワークと接続可能に構成しても、本発明の目的を達成できる。この場合、上記のプログラムコードを、通信ネットワークを介して供給する。この通信ネットワークは、制御部２０の各制御部にプログラムコードを供給できるものであればよく、特定の種類又は形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０２２３】
この通信ネットワークを構成する伝送媒体も、プログラムコードを伝送可能な任意の媒体であればよく、特定の構成又は種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０２２４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２２５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２２６】
本発明は、電話機能を有する各種の携帯端末に利用することができる。
【符号の説明】
【０２２７】
１    携帯端末
１３  表示部
２０  制御部
２１  待ち受け画面制御部（アイコン用画面制御部）
２２  電話帳制御部
２３  通話制御部
２３ａ  通話成立判定部
２４  メール送受信制御部
２５  ＳＮＳ送受信制御部
２６  状態管理制御部
３０  記憶部
３１  待ち受け画面表示プログラム（アイコン用画面表示プログラム）
３２  電話帳アプリケーション
３３  電話アプリケーション
３４  メールアプリケーション（連絡先情報用アプリケーション）
３５  ＳＮＳアプリケーション（連絡先情報用アプリケーション）
３１０  待ち受け画面（アイコン用画面）
３２０  電話帳アプリケーション起動用アイコン（電話帳用アイコン）
３２０ａ  連絡先一覧画面
３２０ｂ  詳細画面
３２１ａ  連絡先欄
３２１ｂ  発信アイコン
３２２ｂ・３２３ｂ  メールアプリケーション起動アイコン
３３０  電話アプリケーション起動用アイコン（通話用アイコン）
３３０ａ  電話番号等入力画面
３３０ｂ  発信履歴表示画面（発信履歴画面）
３３０ｃ  発信中画面
３３０ｄ  通話中画面
３３０ｅ  着信履歴表示画面（着信履歴画面）
３３１ｂ  連絡先欄
３３１ｃ・３３１ｄ  通話終了アイコン
３３１ｅ  連絡先欄
３３２ａ・３３２ｂ・３３２ｅ  発信アイコン
３３３ａ・３３３ｂ・３３３ｅ  着信履歴アイコン
３３４ａ・３３４ｂ・３３４ｅ  発信履歴アイコン
３４０  メールアプリケーション起動用アイコン
３５０・３５１  ＳＮＳ起動用アイコン
３７  電話帳ＤＢ
【図１】
0005891058.tif 000002
【図２】
0005891058.tif 000003
【図３】
0005891058.tif 000004
【図４】
0005891058.tif 000005
【図５】
0005891058.tif 000006
【図６】
0005891058.tif 000007
【図７】
0005891058.tif 000008
【図８】
0005891058.tif 000009
【図９】
0005891058.tif 000010